【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
複合Ｒ部充填材ヌードルであって、
三角形の断面構成、並びにコアの長さに沿って延びる第１の表面（５６）、第２の表面（５８）及び第３の表面（６０）を有するコア（５４）であって、前記コアの長さに沿って延びる一方向のプリプレグテープで構築されているコア（５４）と、
前記コアの長さに完全に沿って延びる長さを有し、前記コアの第１の表面上にスタックされる複数のプリプレグファブリックの第１のストリップ（６４）であって、
前記複数の第１のストリップ（６４）は前記コアの前記第１の表面に完全に亘って延びる幅の寸法を有し、前記複数の第１のストリップ（６４）の前記スタックが前記コアの前記第１の表面から離れて、前記複合Ｒ部充填材ヌードルの外部における最も外側の第１のストリップに広がるにつれて、前記複数の第１のストリップ（６４）の幅の寸法が増大する第１のストリップ（６４）と、
前記コアの長さに完全に沿って延びる長さを有し、前記コアの第２の表面上にスタックされる複数のプリプレグファブリックの第２のストリップ（６６）であって、
前記複数の第２のストリップ（６６）は前記コアの前記第２の表面に完全に亘って延びる幅の寸法を有し、前記複数の第２のストリップ（６６）の前記スタックが前記コアの前記第２の表面から離れて、前記複合Ｒ部充填材ヌードルの前記外部における最も外側の第２のストリップに広がるにつれて、前記複数の第２のストリップ（６６）の幅の寸法が増大する第２のストリップ（６６）と、
前記コアの第３の表面上にスタックされる複数のプリプレグファブリックの第３のストリップ（６８）であって、前記コアの長さに完全に沿って延びる長さを有する複数のプリプレグファブリックの第３のストリップ（６８）であって、
前記複数の第３のストリップ（６８）は前記コアの前記第３の表面に完全に亘って延びる幅の寸法を有し、前記複数の第３のストリップ（６８）の前記スタックが前記コアの前記第３の表面から離れて、前記複合Ｒ部充填材ヌードルの前記外部における最も外側の第３のストリップに広がるにつれて、前記複数の第３のストリップ（６８）の幅の寸法が増大する第３のストリップ（６８）と、
を備える、複合Ｒ部充填材ヌードル。
【請求項２】
前記コア（５４）の一方向のプリプレグテープが前記コアの前記三角形の断面に引き抜き成形されている、請求項１に記載の複合Ｒ部充填材ヌードル。
【請求項３】
前記複数の第２のストリップ（６６）と数が異なる前記複数の第１のストリップ（６４）を更に備える、請求項１または２に記載の複合Ｒ部充填材ヌードル。
【請求項４】
異なる方向に配向された繊維を有する前記複数の第１のストリップ（６４）を更に備える、請求項１から３の何れか一項に記載の複合Ｒ部充填材ヌードル。
【請求項５】
異なる方向に配向された繊維を有する前記複数の第２のストリップ（６６）を更に備える、請求項４に記載の複合Ｒ部充填材ヌードル。
【請求項６】
異なる厚さを有する前記複数の第１のストリップ（６４）を更に備える、請求項１から５の何れか一項に記載の複合Ｒ部充填材ヌードル。
【請求項７】
前記第１のストリップのスタックに漸増する幅を有する前記複数の第１のストリップ（６４）を更に備える、請求項１から６の何れか一項に記載の複合Ｒ部充填材ヌードル。
【請求項８】
前記第１のストリップのスタックに漸減する幅を有する前記複数の第１のストリップ（６４）を更に備える、請求項１から７の何れか一項に記載の複合Ｒ部充填材ヌードル。
【請求項９】
複合Ｒ部充填材ヌードルを構築する方法であって、
コア（５４）が前記コアの長さに沿って延びる第１、第２及び第３の表面を含む三角形の断面構成に形成された、一方向のプリプレグテープの前記コア（５４）を構築することと、
複数のプリプレグファブリックの第１のストリップ（６４）を前記コアの前記第1の表面に積層することであって、前記複数のプリプレグファブリックの第１のストリップは、前記コアの長さに完全に沿った長さ、及び前記コアの前記第１の表面に完全に亘って延びる幅の寸法を有し、前記複数のプリプレグファブリックの第１のストリップが前記コアの前記第１の表面に、前記複合Ｒ部充填材ヌードルの外部における最も外側のプリプレグファブリックの第１のストリップに積層されるにつれて、前記複数のプリプレグファブリックの第１のストリップの前記幅の寸法が増大する、積層することと、
複数のプリプレグファブリックの第２のストリップ（６６）を前記コアの前記第２の表面に積層することであって、前記複数のプリプレグファブリックの第２のストリップの長さが前記コアの長さに完全に沿って延び、前記複数のプリプレグファブリックの第２のストリップは前記コアの前記第２の表面に完全に亘って延びる幅の寸法を有し、前記複数のプリプレグファブリックの第２のストリップが前記コアの前記第２の表面に、前記複合Ｒ部充填材ヌードルの外部における最も外側のプリプレグファブリックの第２のストリップに積層されるにつれて、前記複数のプリプレグファブリックの第２のストリップの前記幅の寸法が増大する、積層することと、
複数のプリプレグファブリックの第３のストリップ（６８）を前記コアの前記第３の表面に積層することであって、前記複数のプリプレグファブリックの第３のストリップの長さが前記コアの長さに完全に沿って延び、前記複数のプリプレグファブリックの第３のストリップは前記コアの前記第３の表面に完全に亘って延びる幅の寸法を有し、前記複数のプリプレグファブリックの第３のストリップが前記コアの前記第３の表面に、前記複合Ｒ部充填材ヌードルの外部における最も外側のプリプレグファブリックの第３のストリップに積層されるにつれて、前記複数のプリプレグファブリックの第３のストリップの前記幅の寸法が増大する、積層することと、
を含む、方法。
【請求項１０】
前記一方向のプリプレグテープの前記コア（５４）が、前記コアの前記三角形の断面に引き抜き成形されている、請求項９に記載の方法。
【手続補正２】
【補正対象書類名】明細書
【補正対象項目名】００５６
【補正方法】変更
【補正の内容】
【００５６】
本発明の範囲から逸脱せずに、本明細書中に記載され図示された装置の構築及びその装置の構築方法に様々な改良を加えることができるであろうから、先ほどの記述に含まれ、添付図面に示されたすべての対象となるものは、限定というよりむしろ例示として解釈されたい。したがって、本開示の幅広さ及び範囲は、先述の例示的実施形態のうちの任意のものによって限定されるべきではなく、本明細書に添付される以下の特許請求の範囲及びそれらと同等のものによってのみ定義されるべきである。
また、本願は以下に記載する態様を含む。
（態様１）
複合Ｒ部充填材ヌードルであって、
三角形の断面構成、並びにコアの長さに沿って延びる第１の表面（５６）、第２の表面（５８）及び第３の表面（６０）を有するコア（５４）と、
前記コアの第１の表面上にスタックされる複数のプリプレグファブリックの第１のストリップ（６４）であって、前記コアの長さに完全に沿って延びる長さを有する複数のプリプレグファブリックの第１のストリップ（６４）と、
前記コアの第２の表面上にスタックされる複数のプリプレグファブリックの第２のストリップ（６６）であって、前記コアの長さに完全に沿って延びる長さを有する複数のプリプレグファブリックの第２のストリップ（６６）と、
前記コアの第３の表面上にスタックされる複数のプリプレグファブリックの第３のストリップ（６８）であって、前記コアの長さに完全に沿って延びる長さを有する複数のプリプレグファブリックの第３のストリップ（６８）と
を備える、複合Ｒ部充填材ヌードル。
（態様２）
前記コアの長さに沿って延びる一方向のプリプレグテープで構築されている前記コア（５４）を更に備える、態様１に記載の複合Ｒ部充填材ヌードル。
（態様３）
前記コアの前記三角形の断面に引き抜き成形されている、前記コア（５４）の一方向のプリプレグテープを更に備える、態様２に記載の複合Ｒ部充填材ヌードル。
（態様４）
前記複数の第２のストリップ（６６）と数が異なる前記複数の第１のストリップ（６４）を更に備える、態様１から３の何れか一項に記載の複合Ｒ部充填材ヌードル。
（態様５）
異なる方向に配向された繊維を有する前記複数の第１のストリップ（６４）を更に備える、態様１から４の何れか一項に記載の複合Ｒ部充填材ヌードル。
（態様６）
異なる方向に配向された繊維を有する前記複数の第２のストリップ（６６）を更に備える、態様５に記載の複合Ｒ部充填材ヌードル。
（態様７）
異なる厚さを有する前記複数の第１のストリップ（６４）を更に備える、態様１から６の何れか一項に記載の複合Ｒ部充填材ヌードル。
（態様８）
前記第１のストリップのスタックに漸増する幅を有する前記複数の第１のストリップ（６４）を更に備える、態様１から７の何れか一項に記載の複合Ｒ部充填材ヌードル。
（態様９）
前記第１のストリップのスタックに漸減する幅を有する前記複数の第１のストリップ（６４）を更に備える、態様１から８の何れか一項に記載の複合Ｒ部充填材ヌードル。
（態様１０）
複合Ｒ部充填材ヌードルを構築する方法であって、
コア（５４）が前記コアの長さに沿って延びる第１、第２及び第３の表面を含む三角形の断面構成を有した状態で、前記ヌードルの前記コア（５４）を一方向のプリプレグテープで形成することと、
複数の第１のストリップの長さが前記コアの長さに完全に沿って延びた状態で、前記コアの第１の表面上にスタックされる複数のプリプレグファブリックの第１のストリップ（６４）を適用することと、
複数のプリプレグファブリックの第２のストリップ（６６）が前記コアの長さに完全に沿って延びる長さを有した状態で、前記コアの第２の表面上にスタックされる前記複数のプリプレグファブリックの第２のストリップ（６６）を適用することと、
複数のプリプレグファブリックの第３のストリップ（６８）が前記コアの長さに完全に沿って延びる長さを有した状態で、前記コアの第３の表面上にスタックされる前記複数のプリプレグファブリックの第３のストリップ（６８）を適用することと
を含む、方法。
（態様１１）
前記コア（５４）を、前記コアの前記三角形の断面に引き抜き成形された一方向のプリプレグテープで形成することを更に含む、態様１０に記載の方法。